(57)【特許請求の範囲】
【請求項１】
近距離通信機能又は非接触通信機能を有するＩＣカードを内蔵し、且つ、端末識別情報を有する携帯端末装置を所定領域への入場許可証として機能させる入場者管理装置であって、
前記端末識別情報を記憶する記憶部と、
前記携帯端末装置から前記ＩＣカードのカード識別情報を近距離通信又は非接触通信で読み取る読取部と、
前記読取部が読み取った前記カード識別情報と１対１に対応する管理情報を発行する発行部と、
前記管理情報と前記端末識別情報とが関連付けられて入力された場合に、該入力された前記端末識別情報と一致する端末識別情報が前記記憶部に記憶されていれば、前記管理情報に対応する前記カード識別情報を前記端末識別情報に対応付けて前記記憶部に格納する制御部と、
を備える入場者管理装置。
【請求項２】
表示部をさらに備え、
前記読取部は、所定領域の外側に配置され、さらに、前記携帯端末装置から前記カード識別情報を読み取り、
前記制御部は、当該カード識別情報が前記記憶部に格納されている場合、当該カード識別情報と、入場日時としての現在の日時とを、対応付けて前記記憶部に格納し、前記表示部に前記所定領域への入場を許可する旨の表示をさせる、
請求項１に記載の入場者管理装置。
【請求項３】
前記読取部は、さらに、前記所定領域の内側に配置され、前記携帯端末装置から前記カード識別情報を読み取り、
前記制御部は、当該カード識別情報及び当該カード識別情報に対応付けられる入場日時が前記記憶部に格納されている場合、当該カード識別情報と、当該カード識別情報に対応付けられる前記入場日時と、退場日時としての現在の日時とを、対応付けて前記記憶部に格納し、前記表示部に前記所定領域からの退場を許可する旨の表示をする、
請求項２に記載の入場者管理装置。
【請求項４】
前記制御部は、前記記憶部に格納される、前記カード識別情報に前記入場日時が対応付けられ、かつ、当該カード識別情報に前記退場日時が対応付けられていない記録の数を計数する、
請求項３に記載の入場者管理装置。
【請求項５】
携帯端末情報を登録するための登録サイトの、前記管理情報を含むネットワーク上のアドレス文字列を表示するアドレス表示部をさらに含み、
前記登録サイト経由で、前記携帯端末情報、及び、前記管理情報が入力される請求項１乃至４のいずれか１つに記載の入場者管理装置。
【請求項６】
携帯端末情報を登録するための登録サイトに前記携帯端末装置がアクセスするためのコード情報であって、前記管理情報を含むコード情報を表示するコード表示部をさらに含み、
前記登録サイト経由で、前記携帯端末情報、及び、前記管理情報が入力される請求項１乃至４のいずれか１つに記載の入場者管理装置。
【発明の詳細な説明】
【技術分野】
【０００１】
本発明は、所定の領域への入退場を管理する入場者管理装置に関する。
【背景技術】
【０００２】
ビルなどの建設作業現場では、建設地の周囲に柵を設け、出入口を限定し、部外者が内部に入れないようにすることが求められる。建設作業現場の出入り口では、入場者管理が行われる。入場者管理とは、主に、所定領域（例えば、建設作業現場）の入場者、退場者を制限し、入場、退場を記録することをいう。入場者管理方法の例として、作業員全員に事前に登録したＩＤカードを発行し、建設作業現場の出入口に管理人を配置し、作業員の入場時及び退場時に管理人が作業員のＩＤ（Identification）カードを確認することで、入退場を把握することが挙げられる。
【先行技術文献】
【特許文献】
【０００３】
【特許文献１】特開２００９−１３０８３３号公報
【発明の概要】
【発明が解決しようとする課題】
【０００４】
しかし、ＩＤカードによる入退管理方法では、作業員全員にＩＤカードを発行するため、建設作業が長期間にわたるような作業員の入れ替わりが多い建設作業現場では、ＩＤカードの発行、管理が容易ではなく、かつ、多額の費用が発生する。また、入場者と退場者の確認が総人数のチェックに留まるため、１日の作業終了後に入場者数と退場者数とに差が生じた場合、その原因の特定が困難である。
【０００５】
本発明は、所定の管理領域への入場者を容易に管理できる入場者管理システムを提供することを課題とする。
【課題を解決するための手段】
【０００６】
本発明は、上記課題を解決するために、以下の手段を採用する。
【０００７】
即ち、第１の態様は、
近距離通信機能又は非接触通信機能を有するＩＣカードを内蔵し、且つ、端末識別情報を有する携帯端末装置を所定領域への入場許可証として機能させる入場者管理装置であって、
前記端末識別情報を記憶する記憶部と、
前記携帯端末装置から前記ＩＣカードのカード識別情報を近距離通信又は非接触通信で読み取る読取部と、
前記読取部が読み取った前記カード識別情報と１対１に対応する管理情報を発行する発行部と、
前記管理情報と前記端末識別情報とが関連付けられて入力された場合に、該入力された前記端末識別情報と一致する端末識別情報が前記記憶部に記憶されていれば、前記管理情報に対応する前記カード識別情報を前記端末識別情報に対応付けて前記記憶部に格納する制御部と、
を備える入場者管理装置である。
【０００８】
第１の態様によると、入場者管理装置は、携帯端末装置から読み取ったカード識別情報と、携帯端末装置から受信した端末識別情報とを対応付けて格納する。
【０００９】
第２の態様は、さらに、
表示部を備え、
前記読取部は、所定領域の外側に配置され、さらに、前記携帯端末装置から前記カード識別情報を読み取り、
前記制御部は、当該カード識別情報が前記記憶部に格納されている場合、当該カード識別情報と、入場日時としての現在の日時とを、対応付けて前記記憶部に格納し、前記表示部に前記所定領域への入場を許可する旨の表示をさせる、
入場者管理装置である。
【００１０】
第２の態様によると、入場者管理装置は、携帯端末装置からカード識別情報を読み取り、当該カード識別情報が前記記憶部に格納されている場合、表示部に所定領域への入場を許可する旨の表示をする。
【００１１】
第３の態様は、さらに、
前記制御部は、前記管理情報と前記端末識別情報と前記携帯端末装置の利用者自身の写真とが関連付けられて入力された場合に、前記表示部に前記所定領域への入場を許可する旨の表示をさせる際に、前記表示部に前記写真を表示する、
入場者管理装置である。
【００１２】
第３の態様によると、入場者管理装置は、表示部に所定領域への入場を許可する旨の表示をする際に、表示部に携帯端末装置の利用者自身の写真を表示する。
【発明の効果】
【００１３】
開示の実施形態によれば、所定の管理領域への入場者を容易に管理できる。
【図面の簡単な説明】
【００１４】
【図１】図１は、入場者管理システムの例を示す図である。
【図２】図２は、携帯端末装置の例を示す図である。
【図３】図３は、入場者管理装置の例を示す図である。
【図４】図４は、携帯端末装置と入場者管理装置の間の動作シーケンスの例を示す図である。
【図５】図５は、入場者管理装置の記憶部に格納される第１利用者テーブルの例を示す図である。
【図６】図６は、ＩＣカード読取部と登録サイトのアドレスが表示される表示部との例を示す図である。
【図７】図７は、ＩＣカード読取部と登録サイトのアドレスが表示される表示部との別の例を示す図である。
【図８】図８は、携帯端末装置の表示される登録サイトの例を示す図である。
【図９】図９は、入場者管理装置の記憶部に格納される第２利用者テーブルの例を示す図である。
【図１０】図１０は、携帯端末装置と入場者管理装置の間の動作シーケンスの例を示す図である。
【図１１】図１１は、携帯端末装置と入場者管理装置の間の動作シーケンスの例を示す図である。
【図１２】図１２は、入場者管理装置の記憶部に格納される入退場テーブルの例を示す図である。
【図１３】図１３は、変形例の入場者管理システムの例を示す図である。
【発明を実施するための形態】
【００１５】
以下、図面を参照して実施形態について説明する。実施形態の構成は例示であり、開示の実施形態の構成に限定されない。
【００１６】
〔実施形態〕
本実施形態の入場者管理システムは、携帯端末装置の利用者が携帯端末装置のカード識別情報及び端末識別情報によって、入場者管理装置に管理エリアに入場するための利用者登録をし、利用者が携帯端末装置を使用して管理エリアに入退場するシステムである。
【００１７】
（構成例）
図１は、入場者管理システムの例を示す図である。入場者管理システム１は、管理エリア１０に入退場する利用者が携帯する携帯端末装置１００と、携帯端末装置１００と通信を行い管理エリア１０の入場者管理を行う入場者管理装置２００と、門３００とを含む。非管理エリア２０は、管理エリア１０以外のスペースである。門３００は、管理エリア１０と非管理エリア２０との間に設けられる。利用者は、門３００を通じて管理エリア１０と非管理エリア２０とを往来する。門３００には、扉３１０が設置される。扉３１０は、通常は施錠され閉鎖されている。管理エリア１０と非管理エリア２０との間には、門３００以外からは往来できないように境界が設けられる。図１の例では、入場者管理装置２００は管理エリア１０内に設置されているが、入場者管理装置２００の設置位置は、管理エリア１０内に限定されない。
【００１８】
管理エリア１０は、例えば、建設作業現場である。管理エリア１０は、建設作業現場に限定されるものではない。
【００１９】
図２は、携帯端末装置の例を示す図である。携帯端末装置１００は、ＩＣカード部１１０、制御部１２０、送受信部１３０、表示部１４０、記憶部１５０、入力部１６０を有する。携帯端末装置１００は、ネットワークを介して、入場者管理装置２００と、情報の送受信をすることができる。携帯端末装置１００は、ＩＣカード部１１０により、ＩＣカードリーダとの間で情報の送受信をすることができる。
【００２０】
ＩＣカード部１１０は、制御部１１２、送受信部１１４、記憶部１１６を有する。制御部１１２は、ＩＣカードリーダとの間の情報の送受信を制御する。送受信部１１４は、ＩＣカードリーダとの情報の送受信を行う。記憶部１１６は、送受信部１１４を通じて送受信される情報を格納する。記憶部１１６は、カードＩＤナンバを格納する。ＩＣカード部１１０の記憶部１１６に格納されるカードＩＤナンバは、制御部１２０によって抽出されない。また、当該カードＩＤナンバは、送受信部１３０によって送信されない。当該カードＩＤナンバは、入場者管理装置２００のＩＣカード読取部２１０のようなＩＣカードリーダによってのみ読み出される。ＩＣカード部１１０は、例えば、近距離通信機能又は非接触通信機能を有するＩＣカードである。
【００２１】
ＩＣカード部１１０は、例えば、非接触型ＩＣカードを搭載する。非接触型ＩＣカードは、ＩＣカードリーダとの間で、非接触で情報を送受信できる。非接触型ＩＣカードは、例えば、フェリカ（登録商標）を搭載したカードである。非接触型ＩＣカードは、固有のカードＩＤナンバを有する。カードＩＤナンバは、工場出荷時の製造番号、発行者が書込む発行番号などを含む。これらの番号のうちの少なくとも１つをカードＩＤナンバという。カードＩＤナンバは、これに限定されるものではない。カードＩＤナンバは、カード識別情報である。
【００２２】
制御部１２０は、携帯端末装置１００の動作全体を制御する。
【００２３】
送受信部１３０は、ネットワークに接続され、携帯端末装置１００と入場者管理装置２
００と間の通信等を実現する。送受信部１３０は、入場者管理装置２００との間で、情報を送受信する。
【００２４】
表示部１４０は、入場者管理装置２００等から受信した情報等を表示する。表示部１４０は、例えば、液晶ディスプレイのような表示装置として実現される。
【００２５】
記憶部１５０は、制御部１２０で実行される処理で利用される各種情報を記憶する。記憶部１５０は、入場者管理装置２００等から受信した情報等を格納する。
【００２６】
入力部１６０は、例えば、入力キー、カメラ、マイク、スキャナ、又は、これらの組み合わせである。入力部１６０は、ユーザによる情報の入力を受付ける。
【００２７】
図３は、入場者管理装置の例を示す図である。入場者管理装置２００は、ＩＣカード読取部２１０、制御部２２０、送受信部２３０、表示部２４０、記憶部２５０を有する。入場者管理装置２００は、ネットワークを介して、携帯端末装置２００等と、情報の送受信をすることができる。入場者管理装置２００は、ＩＣカード読取部２１０により、非接触ＩＣカードとの間で情報の送受信をすることができる。ＩＣカード読取部２１０、表示部２４０は、入場者管理装置２００から物理的に独立して存在してもよい。
【００２８】
ＩＣカード読取部２１０は、制御部２１２、送受信部２１４、記憶部２１６を有する。ＩＣカード読取部２１０は、例えば、ＩＣカードリーダである。制御部２１２は、非接触ＩＣカードとの間の情報の送受信を制御する。送受信部２１４は、非接触型ＩＣカードとの情報の送受信を行う。記憶部２１６は、送受信部２１４を通じて送受信される情報を格納する。ＩＣカードリーダは、非接触型ＩＣカードとの間で、非接触で情報を送受信できる。ＩＣカードリーダは、例えば、フェリカ（登録商標）を搭載したカードと送受信できる。ＩＣカード読取部２１０は、例えば、管理エリア１０の内側と外側とに設置される。ＩＣカード読取部２１０は、例えば、門３００の近傍に設置される。ＩＣカード読取部２１０は、複数設置され得る。ＩＣカード読取部２１０は、例えば、近距離通信機能又は非接触通信機能を有するＩＣカードリーダである。
【００２９】
制御部２２０は、入場者管理装置２００の動作全体を制御する。制御部２２０は、記憶部２５０に格納される情報と、携帯端末装置１００から受信した情報とを対比し、携帯端末装置１００の利用者の管理エリア１０への入場を許可するか否かを判定する。
【００３０】
送受信部２３０は、ネットワークに接続され、入場者管理装置２００と携帯端末装置１００と間の通信等を実現する。送受信部２３０は、携帯端末装置１００との間で、情報を送受信する。送受信部２３０は、扉３１０に対し、施錠又は解錠の指示を送信する。送受信部２３０は、他の装置と間の通信を行う。
【００３１】
表示部２４０は、携帯端末装置１００の利用者に対し、情報を表示する。表示部２４０は、例えば、液晶ディスプレイのような表示装置、スピーカ、ライト、又は、これらの組み合わせとして実現される。表示部２４０は、ＩＣカード読取部２１０の近傍に設置される。表示部２４０は、登録サイトのアドレスを表示するアドレス表示部、登録サイトのアドレスに対応するコードを表示するコード表示部として動作し得る。
【００３２】
記憶部２５０は、第１利用者テーブル２５１、第２利用者テーブル２５２、入退場テーブル２５３を格納する。また、記憶部２５０は、ＩＣカード読取部２１０が読み取ったカードＩＤナンバを格納する。
【００３３】
門３００の扉３１０は、入場者管理装置２００の指示により、施錠又は解錠される。扉
３１０の形状は、特定のものに限定されず、例えば、引き戸であっても、ドアであっても、門扉であってもよい。扉３１０は、手動で開閉するものであってもよいし、自動で開閉するものであってもよい。
【００３４】
入場者管理装置２００は、パーソナルコンピュータ（ＰＣ、Personal Computer）、ワ
ークステーション（ＷＳ、Work Station）のような汎用のコンピュータまたはサーバマシンのような専用のコンピュータを使用して実現可能である。
【００３５】
携帯端末装置１００は、ＰＣ、ＰＤＡ（Personal Digital Assistant）のような専用または汎用のコンピュータ、あるいは、コンピュータを搭載した電子機器を使用して実現可能である。また、携帯端末装置１００は、スマートフォン、携帯電話のような専用または汎用のコンピュータ、あるいは、コンピュータを搭載した電子機器を使用して実現可能である。
【００３６】
コンピュータ、すなわち、情報処理装置は、プロセッサ、主記憶装置、及び、二次記憶装置や、通信インタフェース装置のような周辺装置とのインタフェース装置を含む。主記憶装置及び二次記憶装置は、コンピュータ読み取り可能な記録媒体である。
【００３７】
コンピュータは、プロセッサが記録媒体に記憶されたプログラムを主記憶装置の作業領域にロードして実行し、プログラムの実行を通じて周辺機器が制御されることによって、所定の目的に合致した機能を実現することができる。
【００３８】
プロセッサは、例えば、ＣＰＵ（Central Processing Unit）やＤＳＰ（Data Signal Processor）である。主記憶装置は、例えば、ＲＡＭ（Random Access Memory）やＲＯＭ（Read Only Memory）を含む。
【００３９】
二次記憶装置は、例えば、ＥＰＲＯＭ（Erasable Programmable ROM）、ハードディス
クドライブ（ＨＤＤ、Hard Disk Drive）である。また、二次記憶装置は、リムーバブル
メディア、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。
【００４０】
通信インタフェース装置は、例えば、ＬＡＮ（Local Area Network）インタフェースボードや、無線通信のための無線通信回路である。
【００４１】
周辺装置は、上記の二次記憶装置や通信インタフェース装置の他、キーボードやポインティングデバイスのような入力装置や、ディスプレイ装置やプリンタのような出力装置を含む。また、入力装置は、カメラのような映像や画像の入力装置や、マイクロフォンのような音声の入力装置を含むことができる。また、出力装置は、スピーカのような音声の出力装置を含むことができる。
【００４２】
携帯端末装置１００を実現するコンピュータは、プロセッサが二次記憶装置に記憶されているプログラムを主記憶装置にロードして実行することによって、制御部１２０としての機能を実現する。一方、記憶部１５０は、主記憶装置または二次記憶装置の記憶領域に設けられる。
【００４３】
入場者管理装置２００を実現するコンピュータは、プロセッサが二次記憶装置に記憶されているプログラムを主記憶装置にロードして実行することによって、制御部２２０としての機能を実現する。一方、記憶部２５０は、主記憶装置または二次記憶装置の記憶領域に設けられる。
【００４４】
一連の処理は、ハードウェアにより実行させることもできるが、ソフトウェアにより実行させることもできる。
【００４５】
プログラムを記述するステップは、記載された順序に沿って時系列的に行われる処理はもちろん、必ずしも時系列的に処理されなくても、並列的または個別に実行される処理を含む。
【００４６】
（動作例）
〈登録時〉
図４は、携帯端末装置と入場者管理装置の間の動作シーケンスの例を示す図である。図４の動作シーケンスは、携帯端末装置１００の利用者が管理エリア１０に初めて入場する前に入場者管理装置２００に利用者を登録する際の動作シーケンスである。
【００４７】
入場者管理装置２００は、第１利用者テーブル２５１に、あらかじめ、管理エリア１０への入場を許可する予定の利用者の情報を格納する（ＳＱ１００１）。
【００４８】
図５は、入場者管理装置の記憶部に格納される第１利用者テーブルの例を示す図である。第１利用者テーブル２５１には、管理エリアへの入場が許可される予定の利用者の氏名、当該利用者の携帯端末装置の端末識別情報（例えば、携帯電話番号）、当該利用者の所属先の会社名が格納されている。第１利用者テーブル２５１に格納される情報は、例えば、利用者が所属する組織（例えば、会社等）からあらかじめ提供されて、入場者管理装置２００の記憶部２５０の第１利用者テーブル２５１に格納される。
【００４９】
図４に戻って、携帯端末装置１００の利用者は、携帯端末装置１００を、管理エリア１０の門３００の近傍に設置される入場者管理装置２００のＩＣカード読取部２１０に近づける。ＩＣカード読取部２１０は、携帯端末装置１００のＩＣカード部１１０に対し、ＩＣカード部１１０の記憶部１１６に格納されるカードＩＤナンバ（カード識別情報）を要求する。ＩＣカード部１１０は、記憶部１１６からカードＩＤナンバを抽出し、送信部１１４から、ＩＣカード読取部２１０に送信する。ＩＣカード読取部２１０は、送受信部２１４で、ＩＣカード部１１０からカードＩＤナンバを受信する。ＩＣカード読取部２１０は、受信したカードＩＤナンバを記憶部２１６に格納する。このようにして、ＩＣカード読取部２１０は、携帯端末装置１００のＩＣカード部１１０と通信し、ＩＣカード部１１０のカードＩＤナンバを取得する（ＳＱ１００２）。
【００５０】
入場者管理装置２００の制御部２２０は、ＩＣカード読取部２１０の記憶部２１６から、取得されたカードＩＤナンバを読み出し、記憶部２５０に当該カードＩＤナンバ（カード識別情報）を格納する。入場者管理装置２００の制御部２２０は、登録サイトのアドレス又は登録サイトのアドレスに対応するコードを表示部２４０に表示し、利用者に氏名等を登録することを促す（ＳＱ１００３）。登録サイトは、利用者が、携帯端末装置１００から、氏名、所属先の会社名、携帯電話番号等を、入場者管理装置２００に登録するためのサイトである。登録サイトのアドレスには、取得されたカードＩＤナンバに対応する固有の情報（管理情報）が含まれる。当該固有の情報は、例えば、カードＩＤナンバに所定の演算をすることにより得られる数値とすることができる。また、当該固有の情報は、所定の方式に基づき、カードＩＤナンバに対して、暗号化したものであってもよい。当該固有の情報は、ランダムに選択された文字列であって、当該文字列と取得されたカードＩＤナンバとの対応テーブルを記憶部２５０に有してもよい。カードＩＤナンバと当該固有の情報とは、１対１に対応する。当該固有の情報は、カードＩＤナンバ自体であってもよい。
【００５１】
図６は、ＩＣカード読取部と登録サイトのアドレスが表示される表示部との例を示す図である。図６の例では、登録サイトのアドレスに、カードＩＤナンバに対応する固有の情報として、「123123123」が含まれる。携帯端末装置１００の利用者は、携帯端末装置１
００から、このアドレスで示される登録サイトにアクセスして、氏名等を登録する。このアドレスによってアクセスされた装置は、カードＩＤナンバに対応する固有の情報を取得できる。
【００５２】
図７は、ＩＣカード読取部と登録サイトのアドレスが表示される表示部との別の例を示す図である。図７の例では、登録サイトのアドレスが２次元コードで表示される。携帯端末装置１００の利用者は、携帯端末装置１００の入力部１６０で、２次元コードを読み取り、登録サイトのアドレスに変換して、登録サイトにアクセスできる。当該登録サイトのアドレスには、カードＩＤナンバに対応する固有の情報が含まれる。登録サイトのアドレスが２次元コードによって表示されることによって、利用者による携帯端末装置１００におけるアドレスの入力操作が容易になる。
【００５３】
図４に戻って、携帯端末装置１００の利用者は、携帯端末装置１００により、指示された登録サイトにアクセスする。登録サイトは、入場者管理装置２００自体に存在してもよいし、他の装置に存在してもよい。携帯端末装置１００の利用者は、登録サイトにおいて、利用者の氏名、所属先の会社名、携帯電話番号（端末識別情報）等を、入力部１６０から入力し、入場者管理装置２００に入力した情報を送信する（ＳＱ１００４）。入場者管理装置２００に送信される情報には、カードＩＤナンバに対応する固有の情報が含まれる。
【００５４】
図８は、携帯端末装置の表示される登録サイトの例を示す図である。携帯端末装置が登録サイトにアクセスすると、図８のように表示される。携帯端末装置１００の利用者が氏名等を入力し、送信ボタンを選択して実行する（クリックする）ことにより、入力された情報と、カードＩＤナンバに対応する固有の情報とが、入場者管理装置２００に、送信される。
【００５５】
また、入場者管理装置２００は、入力部を設けて、携帯端末装置１００のＩＣカード部１１０のカードＩＤナンバを取得する際に、携帯端末装置１００の利用者に、氏名、所属先の会社名、携帯電話番号等を、当該入力部から入力させてもよい。
【００５６】
図４に戻って、入場者管理装置２００の送受信部２３０は、携帯端末装置１００から、氏名、所属先の会社名、携帯電話番号等の情報を受信する。入場者管理装置２００の制御部２２０は、携帯端末装置１００から受信した氏名等の情報を検索キーとして、記憶部２５０に格納される第１利用者テーブル２５１を検索する（ＳＱ１００５）。
【００５７】
制御部２２０は、第１利用者テーブル２５１で、受信した氏名、所属先の会社名、携帯電話番号等が完全に一致するエントリを抽出できない場合、処理を終了する。当該表示を確認した利用者は、例えば、所属先の会社等に連絡して、入場者管理装置２００の第１利用者テーブル２５１に自身の情報を登録するように依頼することができる。
【００５８】
制御部２２０は、第１利用者テーブル２５１で、受信した氏名、所属先の会社名、携帯電話番号等が完全に一致するエントリを抽出できた場合、これらの情報を、記憶部２５０の第２利用者テーブル２５２に登録する。制御部２２０は、携帯端末装置１００から受信したカードＩＤナンバに対応する固有の情報を、カードＩＤナンバ（カード識別情報）に変換する。制御部２２０は、受信した氏名、所属先の会社名、携帯電話番号等とともに、カードＩＤナンバを、第２利用者テーブル２５２に登録する。
【００５９】
図９は、入場者管理装置の記憶部に格納される第２利用者テーブルの例を示す図である。第２利用者テーブル２５２には、利用者の氏名、当該利用者の所属先の会社名、当該利用者の携帯端末装置１００の端末識別情報（例えば、携帯電話番号）、当該利用者の携帯端末装置１００のカード識別情報が格納されている。第２利用者テーブル２５１に格納される利用者は、管理エリア１０への入場が許可されている者である。
【００６０】
入場者管理装置２００の管理者は、第１利用者テーブル２５１及び第２利用者テーブル２５２のエントリから、特定の利用者のエントリを削除することで、当該利用者に対する管理エリアへの入場の許可を取り消すことができる。
【００６１】
図４に戻って、制御部２２０は、携帯端末装置１００の利用者に向けて、表示部２４０において、登録が完了した旨の表示をする（ＳＱ１００６）。当該表示により、携帯端末装置１００の利用者は、入場者管理装置２００への登録が完了したことを認識する。即ち、利用者は、管理エリア１０への入場を許可されたことを認識する。
【００６２】
以上の手順によって、入場者管理装置２００における登録の処理が完了する。
【００６３】
第１利用者テーブル２５１、第２利用者テーブル２５２に登録される利用者を識別する情報は、例えば、携帯電話番号だけでもよい。携帯電話番号は、原則として唯一無二の情報であるため、他人との識別が可能だからである。但し、この場合であっても、第２利用者テーブルには、カード識別情報は登録される。
【００６４】
また、第１利用者テーブル２５１、第２利用者テーブル２５２に登録される利用者を識別する情報として、会社名、氏名の他に、生年月日、性別、血液型などが使用されてもよい。多くの個人情報を使用することで、登録前に携帯端末装置１００が盗まれた場合であっても、正規の利用者でないものが登録することが困難になる。
【００６５】
〈入場時〉
図１０は、携帯端末装置と入場者管理装置の間の動作シーケンスの例を示す図である。図１０の動作シーケンスは、携帯端末装置１００の利用者が管理エリア１０に入場する際の動作シーケンスである。
【００６６】
携帯端末装置１００の利用者は、携帯端末装置１００を、管理エリア１０の門３００の近傍（管理エリア１０の外側）に設置される入場者管理装置２００のＩＣカード読取部２１０に近づける。上記のＳＱ１００２の動作と同様にして、入場者管理装置２００のＩＣカード読取部２１０は、携帯端末装置１００のＩＣカード部１１０と通信し、ＩＣカード部１１０のカードＩＤナンバを取得する（ＳＱ２００１）。
【００６７】
入場者管理装置２００の制御部２２０は、ＩＣカード読取部２１０の記憶部２１６から、取得されたカードＩＤナンバを読み出す。制御部２２０は、読み出したカードＩＤナンバ（カード識別情報）を検索キーとして、記憶部２５０に格納される第２利用者テーブル２５２を検索する（ＳＱ２００２）。
【００６８】
制御部２２０は、第２利用者テーブル２５２で、読み出したカードＩＤナンバを含むエントリを抽出できない場合、処理を終了する。このとき、制御部２２０は、携帯端末装置１００の利用者に向けて、表示部２４０において、登録されていない旨の表示をしてもよい。また、入場者管理装置２００は、上記のＳＱ１００３以降の処理を実行して、当該利用者に登録を促してもよい。
【００６９】
制御部２２０は、第２利用者テーブル２５２で、読み出したカードＩＤナンバを含むエ
ントリを抽出できた場合、制御部２２０は、当該カードＩＤナンバを含むエントリの情報（氏名、会社名、携帯電話番号、カード識別情報等）を、記憶部２５０の入退場テーブル２５３に格納する。また、制御部２２０は、現在の日時を、当該利用者の入場日時として、記憶部２５０の入退場テーブル２５３に格納する（ＳＱ２００３）。
【００７０】
制御部２２０は、扉３１０に対し、解錠を指示する（ＳＱ２００４）。利用者が管理エリア１０に入場したことが確認された場合、制御部２２０は、扉３１０に対し、施錠を指示する。また、扉３１０は、解錠してから所定時間経過後に、施錠されてもよい。長時間解錠状態にしておくことは、登録されていない利用者が入場する可能性があり、セキュリティー上問題となるからである。
【００７１】
以上の手順により、入場時の処理が完了する。
【００７２】
〈退場時〉
図１１は、携帯端末装置と入場者管理装置の間の動作シーケンスの例を示す図である。図１１の動作シーケンスは、携帯端末装置１００の利用者が管理エリア１０から退場する際の動作シーケンスである。
【００７３】
携帯端末装置１００の利用者は、携帯端末装置１００を、管理エリア１０の門３００の近傍（管理エリア１０の内側）に設置される入場者管理装置２００のＩＣカード読取部２１０に近づける。上記のＳＱ１００２の動作と同様にして、入場者管理装置２００のＩＣカード読取部２１０は、携帯端末装置１００のＩＣカード部１１０と通信し、ＩＣカード部１１０のカードＩＤナンバを取得する（ＳＱ３００１）。
【００７４】
入場者管理装置２００の制御部２２０は、ＩＣカード読取部２１０の記憶部２１６から、取得されたカードＩＤナンバを読み出す。制御部２２０は、読み出したカードＩＤナンバ（カード識別情報）を検索キーとして、記憶部２５０に格納される入退場テーブル２５２を検索する。制御部２２０は、入退場テーブル２５３で、読み出したカードＩＤナンバを含むエントリを抽出し、現在の日時を、当該利用者の退場日時として格納する（ＳＱ３００２）。
【００７５】
制御部２２０は、扉３１０に対し、解錠を指示する（ＳＱ３００３）。利用者が管理エリア１０から退場したことが確認された場合、制御部２２０は、扉３１０に対し、施錠を指示する。また、扉３１０は、解錠してから所定時間経過後に、施錠されてもよい。
【００７６】
なお、退場時にＩＣカード読取部２１０が読み取ったカードＩＤナンバの利用者に対する入場日時の記録がない場合、制御部２２０は、表示部２４０に警告の情報を表示するようにしてもよい。また、この場合、制御部２２０は、送受信部２３０を介して、他の装置に、警告の情報を送信してもよい。当該利用者は、入場日時の記録がないことから、管理エリア１０に不正に入場した可能性があるからである。
【００７７】
図１２は、入場者管理装置の記憶部に格納される入退場テーブルの例を示す図である。入退場テーブル２５３には、利用者の氏名、当該利用者の所属先の会社名、当該利用者の携帯端末装置１００の端末識別情報（例えば、携帯電話番号）、当該利用者の携帯端末装置１００のカード識別情報、入場日時、退場日時が格納されている。入退場テーブル２５３により、管理エリア１０の管理者は、利用者毎の管理エリア１０の滞在時間、任意の日時における管理エリア１０に存在している人数等を容易に把握することができる。入退場テーブル２５３に格納される情報は、カード識別情報、入場日時、退場日時のみでもよい。入退場テーブル２５３に格納される情報が、カード識別情報、入場日時、退場日時のみであったとしても、第２利用者テーブル２５２を参照することにより、カード識別情報か
ら、利用者の氏名や会社名等の他の情報を抽出できるからである。
【００７８】
（その他）
入場者管理装置２００は、他の装置（例えば、情報処理装置）から、現在、管理エリア１０に存在する利用者の人数の確認の要求（残存者確認要求）を受付けることができる。入場者管理装置２００の制御部２２０は、送受信部２３０を介して他の装置から残存者確認要求を受信する。制御部２２０は、入退場テーブル２５３から、入場日時が記載されているが、退場日時が記載されていないエントリを抽出する。制御部２２０は、抽出したエントリの数を計数し、計数した結果を、現在、管理エリア１０に存在する利用者の人数とする。入場日時が記載されているが退場日時が記載されていないエントリは、現在、管理エリア１０に存在する利用者を示す。制御部２２０は、計数した結果（現在、管理エリア１０に存在する利用者の人数）を、残存者確認要求に対する応答として、残存者確認要求を送信した他の装置に、送受信部２３０を介して、送信する。これにより、当該他の装置は、任意のタイミングで、管理エリア１０に存在する利用者の人数を確認することができる。また、入場者管理装置２００は、所定時間毎に、現在、管理エリア１０に存在する利用者の人数を計数し、計数した結果を、他の装置に対して送信してもよい。
【００７９】
また、入場者管理装置２００は、他の装置からの要求等に応じて、送受信部２３０を介して、入退場テーブル２５３を送信することができる。入退場テーブル２５３には、利用者の氏名、当該利用者の所属先の会社名、当該利用者の携帯端末装置１００の端末識別情報（例えば、携帯電話番号）、当該利用者の携帯端末装置１００のカード識別情報、入場日時、退場日時が格納されます。よって、入退場テーブル２５３を確認することにより、例えば、管理エリア１０の利用者の日毎の人数、利用者毎の管理エリア１０の滞在時間、会社毎の利用者の管理エリア１０の滞在時間など、出面の集計、管理が容易になる。
【００８０】
（実施形態の作用効果）
本実施形態の入場者管理装置２００では、あらかじめ提供された管理エリア１０への入場の許可が予定されている利用者の端末識別情報等が記憶部２５０に格納されている。入場者管理装置２００は、携帯端末装置１００からカード識別情報を読み取り、当該カード識別情報に対応する固有情報をアドレスに含む登録サイトで、端末識別情報等を登録することを携帯端末装置１００の利用者に促す。携帯端末装置１００は、当該固有情報と端末識別情報等とを、入場者管理装置２００に送信する。入場者管理装置２００は、記憶部２５０に格納されている端末識別情報等と携帯端末装置１００から受信した端末識別情報などとを比較し、一致する場合は、当該固有情報に対応するカード識別情報を、端末識別情報等と対応付けて記憶部２５０に格納する。
【００８１】
入場者管理装置２００は、管理エリア１０に入場する利用者の携帯端末装置１００のカード識別情報を読み取り、記憶部２５０に当該カード識別情報が格納されている場合は、管理エリア１０の扉３１０を解錠する。また、このとき、入場者管理装置２００は、カード識別情報等と、入場日時としての現在の日時とを対応付けて、記憶部２５０に格納する。さらに、入場者管理装置２００は、管理エリア１０から退場する利用者の携帯端末装置１００のカード識別情報を読み取り、管理エリア１０の扉３１０を解錠する。このとき、入場者管理装置２００は、カード識別情報等と、退場日時としての現在の日時とを対応付けて、記憶部２５０に格納する。
【００８２】
本実施形態の入場者管理装置２００によれば、利用者が有する携帯端末装置のカード識別情報と、入場者管理装置２００にあらかじめ格納されている利用者の情報とを対応付けることができる。
【００８３】
本実施形態の入場者管理装置２００によれば、利用者が携帯する携帯端末装置１００を
使用して入退場することで、すべての利用者にＩＤカードを新たに配布する必要がないため、管理エリア１０を入退場する利用者の管理等が簡易になる。また、携帯端末装置１００が有するカード識別情報を使用することで、入場者管理装置２００の管理者自身が利用者に対するＩＤ番号等を発行しなくてもよい。
【００８４】
本実施形態の入場者管理装置２００によれば、入退場テーブル２５３に、携帯端末装置１００のカード識別情報と、管理エリア１０への入場日時及び退場日時とが対応付けられて格納されるため、利用者毎の管理エリア１０の滞在時間、任意の時刻における管理エリア１０に存在している人数等が、容易に把握される。
【００８５】
〔変形例〕
上記の実施形態の変形例について説明する。ここでは、主として上記の実施形態との相違点について説明し、共通点については、説明を省略する。
【００８６】
図１３は、変形例の入場者管理システムの例を示す図である。変形例の入場者管理システム１において、門３００に扉３１０が設置されずに、門３００の付近に監視員（ガードマン）が配置され、当該監視員が管理エリア１０への入場者及び管理エリア１０からの退場者を監視する。入場者管理装置２００は、監視員用の表示部２４０を有してもよい。門３００に監視員が配置される場合、門３００の管理エリア１０と非管理エリア２０との間に、入退場を妨げるものがなくてもよい。
【００８７】
図１０の入場時の携帯端末装置と入場者管理装置の間の動作シーケンスにおいて、ＳＱ２００１におけるＩＣカード部１１０のカードＩＤナンバの取得の際、監視員は、携帯端末装置１００の利用者が携帯端末装置１００をＩＣカード読取部２１０に近づけることを確認する。また、ＳＱ２００４で、入場者管理装置２００の制御部２２０は扉３１０に対し解錠を指示せずに、携帯端末装置１００の利用者の入場を許可する旨を表示部２４０に表示させる。利用者が携帯端末装置１００をＩＣカード読取部２１０に近づけること、及び、これによる表示部２４０の入場許可の表示を確認した監視員は、携帯端末装置１００の利用者に管理エリア１０に入場することを許可する。携帯端末装置１００の利用者が入場者管理装置２００に登録されていない場合は、表示部２４０に入場を許可する旨の表示がされないため、監視員は当該利用者の入場を拒否できる。入場を許可する旨の表示は、表示部２４０によって、音を発生させることによってされてもよい。入場を許可する旨の表示は、光を点灯又は点滅させることによってされてもよい。表示部２４０によって発生される音や光は、あらかじめ設定され得る。
【００８８】
図１１の退場時の携帯端末装置と入場者管理装置の間の動作シーケンスにおいて、ＳＱ３００１におけるＩＣカード部１１０のカードＩＤナンバの取得の際、監視員は、携帯端末装置１００の利用者が携帯端末装置１００をＩＣカード読取部２１０に近づけることを確認する。また、ＳＱ３００３で、入場者管理装置２００の制御部２２０は扉３１０に対し解錠を指示せずに、携帯端末装置１００の利用者の退場を許可する旨を表示部２４０に表示させる。利用者が携帯端末装置１００をＩＣカード読取部２１０に近づけること、及び、これによる表示部２４０の退場許可の表示を確認した監視員は、携帯端末装置１００の利用者に管理エリア１０から退場することを許可する。退場を許可する旨の表示は、表示部２４０によって、音を発生させることによってされてもよい。退場を許可する旨の表示は、光を点灯又は点滅させることによってされてもよい。表示部２４０によって発生される音や光は、あらかじめ設定され得る。
【００８９】
なお、退場時にＩＣカード読取部２１０が読み取ったカードＩＤナンバの利用者に対する入場日時の記録がない場合、制御部２２０は、表示部２４０に警告の情報を表示するようにしてもよい。監視員は、当該利用者を不審者として扱うことができる。
【００９０】
また、監視員は、携帯端末装置１００の利用者の顔写真を利用して、入場者及び退場者の監視を行うことができる。このとき、図４の登録時の携帯端末装置と入場者管理装置の間の動作シーケンスにおいて、ＳＱ１００３で、入場者管理装置２００の制御部２２０は、登録サイトのアドレス又は登録サイトのアドレスに対応するコードを表示部２４０に表示し、利用者に氏名等、及び、利用者の顔写真を登録することを促す。登録サイトは、利用者が、携帯端末装置１００から、氏名、所属先の会社名、携帯電話番号等、及び、利用者の顔写真を、入場者管理装置２００に登録するためのサイトとする。携帯端末装置１００の利用者は、携帯端末装置１００により、指示された登録サイトにアクセスする。ＳＱ１００４で、携帯端末装置の利用者は、登録サイトにおいて、利用者の氏名、所属先の会社名、携帯電話番号（端末識別情報）等、及び、利用者の顔写真を、入力部１６０から入力し、入場者管理装置２００に入力した情報を送信する。利用者の顔写真は、携帯端末装置１００の入力部１６０としてのカメラから、利用者自身によって撮影され得る。また、入場者管理装置２００は、入力部を設けて、携帯端末装置１００のＩＣカード部１１０のカードＩＤナンバを取得する際に、携帯端末装置１００の利用者に、氏名、所属先の会社名、携帯電話番号等、及び、利用者の顔写真を、当該入力部から入力させてもよい。携帯端末装置１００の利用者と利用者の顔写真との関係を明確にするために、監視員の前で、携帯端末装置１００の利用者の顔写真の登録をさせてもよい。制御部２２０は、受信した氏名、所属先の会社名、携帯電話番号等、利用者の顔写真とともに、カードＩＤナンバを、第２利用者テーブル２５２に登録する。利用者の顔写真の代わりに、利用者の音声等の利用者固有の他の情報が使用されてもよい。
【００９１】
また、入場者管理装置２００は、利用者の入場を許可する旨を表示部２４０に表示させる際、及び、利用者の退場を許可する旨を表示部２４０に表示させる際、表示部２４０に当該利用者の顔写真を表示してもよい。これにより、例えば、監視員は、管理エリア１０に入場しようとする利用者の顔と、表示部２４０に表示される顔写真とを比較し、両者が一致しない利用者を入場させないことができる。即ち、携帯端末装置１００のカードＩＤナンバが入場者管理装置２００に登録されていても、携帯端末装置１００の利用者の顔が入場者管理装置２００に登録される顔写真と異なる場合に、当該利用者の入場が拒否される。監視員は、管理エリア１０から退場しようとする利用者の顔と、表示部２４０に表示される顔写真とを比較し、両者が一致しない利用者を不審者として扱うことができる。
【００９２】
（変形例の作用効果）
変形例における入場者管理装置２００は、携帯端末装置１００の利用者に対する、管理エリア１０への入退場の可否を表示部２４０に表示し、門３００付近の監視員等に通知する。門３００付近の監視員は、携帯端末装置１００の利用者に対する、管理エリア１０への入退場の可否を判断できる。
【００９３】
変形例における入場者管理装置２００は、カードＩＤナンバを利用者の顔写真と対応付けて格納する。
【００９４】
変形例における入場者管理装置２００は、携帯端末装置１００の利用者に、顔写真を登録させる。監視員が、入場者管理装置２００の表示部２４０に表示される顔写真と、携帯端末装置１００の利用者の顔とを比較し、両者が一致しない利用者に対して門３００を通過させないことができる。
【００９５】
変形例における入場者管理装置２００によれば、門３００に扉３１０が設置されない場合であっても、利用者の入場及び退場を監視できる。
【００９６】
入場者管理装置２００は、管理エリアへの入退場をしようとする利用者の顔写真を表示
部２４０に表示することで、登録されていない利用者の門３００の通過を阻止できる。
【符号の説明】
【００９７】
１          入場者管理システム
１０          管理エリア
２０          非管理エリア
１００          携帯端末装置
１１０            ＩＣカード部
１１２              制御部
１１４              送受信部
１１６              記憶部
１２０            制御部
１３０            送受信部
１４０            表示部
１５０            記憶部
１６０            入力部
２００          入場者管理装置
２１０            ＩＣカード読取部
２１２              制御部
２１４              送受信部
２１６              記憶部
２２０            制御部
２３０            送受信部
２４０            表示部
２５０            記憶部
２５１              第１利用者テーブル
２５２              第２利用者テーブル
２５３              入退場テーブル
３００          門
３１０            扉
【図１】
0005513234.tif 000002
【図２】
0005513234.tif 000003
【図３】
0005513234.tif 000004
【図４】
0005513234.tif 000005
【図５】
0005513234.tif 000006
【図６】
0005513234.tif 000007
【図７】
0005513234.tif 000008
【図８】
0005513234.tif 000009
【図９】
0005513234.tif 000010
【図１０】
0005513234.tif 000011
【図１１】
0005513234.tif 000012
【図１２】
0005513234.tif 000013
【図１３】
0005513234.tif 000014